(57)【要約】【課題】選択されたコンテンツに紐づいている１つのメッセージのみを抽出する場合に比べ、選択されたコンテンツに関連するメッセージのやりとりを複数人で行っていた場合であっても、選択されたコンテンツに関する有効な情報をユーザに提供できるようにする。【解決手段】第４表示領域５０４に表示されていた複数のコンテンツ５２０のうち、「ラフスケッチ」というコンテンツ５２０が選択されると、この「ラフスケッチ」について言及しているメッセージ５０３Ａである、「Ｏｋｕｂｏ」の１通目のメッセージ５０３Ａ（符号６Ｂで示すメッセージ）が抽出される。さらに、「Ｈａｓｕｉｋｅ」のメッセージ５０３Ａ（符号６Ｃで示すメッセージ）にも、「ラフスケッチ」という文言が入っている。このため、メッセージ抽出部によって、この「Ｈａｓｕｉｋｅ」のメッセージ５０３Ａも抽出される。【選択図】図６−２
2019091238.tif 000002
【特許請求の範囲】
【請求項１】
複数のコンテンツと、複数人から発信された複数のメッセージとを記憶する記憶手段と、
複数の前記コンテンツを表示するコンテンツ表示手段と、
前記表示された複数のコンテンツのうち少なくとも１つのコンテンツがユーザにより選択された場合、前記記憶手段から、当該コンテンツについて言及しているメッセージ又は当該コンテンツが添付されていたメッセージを複数抽出する抽出手段と、
前記抽出手段が抽出した前記複数のメッセージを表示するメッセージ表示手段と、
を備える情報処理システム。
【請求項２】
前記メッセージ表示手段は、コンテンツの選択を行った前記ユーザ以外のユーザが発信したメッセージも表示する請求項１に記載の情報処理システム。
【請求項３】
前記メッセージ表示手段は、前記抽出手段が抽出した前記複数のメッセージを予め定められた順序で並べて表示する請求項１又は２に記載の情報処理システム。
【請求項４】
前記メッセージ表示手段は、前記抽出手段が抽出した前記複数のメッセージを時系列順に並べて表示する請求項３に記載の情報処理システム。
【請求項５】
前記コンテンツ表示手段は、前記少なくとも１つのコンテンツがユーザにより選択された場合、選択された当該コンテンツ以外の１つ以上のコンテンツを表示画面から消去する請求項１乃至４の何れかに記載の情報処理システム。
【請求項６】
前記コンテンツ表示手段が表示する前記コンテンツと、前記メッセージ表示手段が表示する前記複数のメッセージは、共通の表示画面に表示される請求項１乃至５の何れかに記載の情報処理システム。
【請求項７】
前記コンテンツ表示手段が表示する前記コンテンツは、互いに隣り合った表示領域の一方の表示領域に表示され、前記メッセージ表示手段が表示する前記複数のメッセージは、他方の表示領域に表示される請求項６に記載の情報処理システム。
【請求項８】
前記メッセージ表示手段は、ユーザにより選択された前記コンテンツを表す画像を、メッセージ表示欄に表示する請求項１乃至７の何れかに記載の情報処理システム。
【請求項９】
前記メッセージ表示手段は、前記抽出手段が抽出した前記複数のメッセージに含まれるメッセージに関連するメッセージをさらに表示する請求項１乃至８の何れかに記載の情報処理システム。
【請求項１０】
前記メッセージ表示手段は、前記抽出手段が抽出した前記複数のメッセージに含まれるメッセージに対する返信メッセージ、及び／又は、前記抽出手段が抽出した前記複数のメッセージに返信メッセージが含まれる場合には、当該返信メッセージの元となった送信メッセージをさらに表示する請求項９に記載の情報処理システム。
【請求項１１】
前記コンテンツ表示手段は、複数の前記コンテンツを表示するとともに、少なくとも一部のコンテンツについては、表紙以外のページを表示する請求項１乃至１０の何れかに記載の情報処理システム。
【請求項１２】
前記コンテンツ表示手段により表示画面に表示される複数のコンテンツに含まれるコンテンツが当該表示画面における予め定められた箇所まで移動した場合に、当該箇所に対応付けられている処理を行う処理手段を更に備える請求項１乃至１１の何れかに記載の情報処理システム。
【請求項１３】
複数のコンテンツと、複数人から発信された複数のメッセージとを記憶する記憶手段と、
前記複数のコンテンツの中から少なくとも１つのコンテンツがユーザにより選択された場合、前記記憶手段から、当該コンテンツについて言及しているメッセージ又は当該コンテンツが添付されていたメッセージを複数抽出する抽出手段と、
抽出した前記複数のメッセージについての情報を出力する出力手段と、
を備える情報処理装置。
【請求項１４】
複数のコンテンツの中から少なくとも１つのコンテンツがユーザにより選択された場合に、記憶手段から、当該コンテンツについて言及しているメッセージ又は当該コンテンツが添付されていたメッセージを複数抽出する抽出機能と、
抽出した前記複数のメッセージについての情報を出力する出力機能と、
をコンピュータ装置に実現させるためのプログラム。
【発明の詳細な説明】
【技術分野】
【０００１】
本発明は、情報処理システム、情報処理装置、および、プログラムに関する。
【背景技術】
【０００２】
特許文献１には、コンテンツを管理するリソースからコンテンツを取得して表示するコンテンツビューと、取得したコンテンツにおいて共有を指示されたコンテンツのリソース情報を特定する共有部と、リソース情報を含めたメッセージを送信する会話ビューとを備えたシステムが開示されている。
【先行技術文献】
【特許文献】
【０００３】
【特許文献１】特開２０１４−２１９７６７号公報
【発明の概要】
【発明が解決しようとする課題】
【０００４】
ユーザにより選択されたコンテンツに関連するメッセージを抽出するにあたり、このコンテンツと一対一の関係で紐づけられた１つのメッセージのみを抽出する方法が知られている。しかし、そのコンテンツに関連して複数人がメッセージを発信している場合には、その１つのメッセージのみを抽出するだけでは、そのコンテンツに関連する複数人でのやりとりを把握するのが難しい。
本発明の目的は、選択されたコンテンツに紐づいている１つのメッセージのみを抽出する場合に比べ、選択されたコンテンツに関連するメッセージのやりとりを複数人で行っていた場合であっても、選択されたコンテンツに関する有効な情報をユーザに提供できるようにすることにある。
【課題を解決するための手段】
【０００５】
請求項１に記載の発明は、複数のコンテンツと、複数人から発信された複数のメッセージとを記憶する記憶手段と、複数の前記コンテンツを表示するコンテンツ表示手段と、前記表示された複数のコンテンツのうち少なくとも１つのコンテンツがユーザにより選択された場合、前記記憶手段から、当該コンテンツについて言及しているメッセージ又は当該コンテンツが添付されていたメッセージを複数抽出する抽出手段と、前記抽出手段が抽出した前記複数のメッセージを表示するメッセージ表示手段と、を備える情報処理システムである。
請求項２に記載の発明は、前記メッセージ表示手段は、コンテンツの選択を行った前記ユーザ以外のユーザが発信したメッセージも表示する請求項１に記載の情報処理システムである。
請求項３に記載の発明は、前記メッセージ表示手段は、前記抽出手段が抽出した前記複数のメッセージを予め定められた順序で並べて表示する請求項１又は２に記載の情報処理システムである。
請求項４に記載の発明は、前記メッセージ表示手段は、前記抽出手段が抽出した前記複数のメッセージを時系列順に並べて表示する請求項３に記載の情報処理システムである。
請求項５に記載の発明は、前記コンテンツ表示手段は、前記少なくとも１つのコンテンツがユーザにより選択された場合、選択された当該コンテンツ以外の１つ以上のコンテンツを表示画面から消去する請求項１乃至４の何れかに記載の情報処理システムである。
請求項６に記載の発明は、前記コンテンツ表示手段が表示する前記コンテンツと、前記メッセージ表示手段が表示する前記複数のメッセージは、共通の表示画面に表示される請求項１乃至５の何れかに記載の情報処理システムである。
請求項７に記載の発明は、前記コンテンツ表示手段が表示する前記コンテンツは、互いに隣り合った表示領域の一方の表示領域に表示され、前記メッセージ表示手段が表示する前記複数のメッセージは、他方の表示領域に表示される請求項６に記載の情報処理システムである。
請求項８に記載の発明は、前記メッセージ表示手段は、ユーザにより選択された前記コンテンツを表す画像を、メッセージ表示欄に表示する請求項１乃至７の何れかに記載の情報処理システムである。
請求項９に記載の発明は、前記メッセージ表示手段は、前記抽出手段が抽出した前記複数のメッセージに含まれるメッセージに関連するメッセージをさらに表示する請求項１乃至８の何れかに記載の情報処理システムである。
請求項１０に記載の発明は、前記メッセージ表示手段は、前記抽出手段が抽出した前記複数のメッセージに含まれるメッセージに対する返信メッセージ、及び／又は、前記抽出手段が抽出した前記複数のメッセージに返信メッセージが含まれる場合には、当該返信メッセージの元となった送信メッセージをさらに表示する請求項９に記載の情報処理システムである。
請求項１１に記載の発明は、前記コンテンツ表示手段は、複数の前記コンテンツを表示するとともに、少なくとも一部のコンテンツについては、表紙以外のページを表示する請求項１乃至１０の何れかに記載の情報処理システムである。
請求項１２に記載の発明は、前記コンテンツ表示手段により表示画面に表示される複数のコンテンツに含まれるコンテンツが当該表示画面における予め定められた箇所まで移動した場合に、当該箇所に対応付けられている処理を行う処理手段を更に備える請求項１乃至１１の何れかに記載の情報処理システムである。
請求項１３に記載の発明は、複数のコンテンツと、複数人から発信された複数のメッセージとを記憶する記憶手段と、前記複数のコンテンツの中から少なくとも１つのコンテンツがユーザにより選択された場合、前記記憶手段から、当該コンテンツについて言及しているメッセージ又は当該コンテンツが添付されていたメッセージを複数抽出する抽出手段と、抽出した前記複数のメッセージについての情報を出力する出力手段と、を備える情報処理装置である。
請求項１４に記載の発明は、複数のコンテンツの中から少なくとも１つのコンテンツがユーザにより選択された場合に、記憶手段から、当該コンテンツについて言及しているメッセージ又は当該コンテンツが添付されていたメッセージを複数抽出する抽出機能と、抽出した前記複数のメッセージについての情報を出力する出力機能と、をコンピュータ装置に実現させるためのプログラムである。
【発明の効果】
【０００６】
請求項１の発明によれば、選択されたコンテンツに紐づいている１つのメッセージのみを抽出する場合に比べ、選択されたコンテンツに関連するメッセージのやりとりを複数人で行っていた場合であっても、選択されたコンテンツに関する有効な情報をユーザに提供できる。
請求項２の発明によれば、コンテンツの選択を行ったユーザ以外のユーザが発信したメッセージについての情報をユーザに提供できる。
請求項３の発明によれば、抽出した複数のメッセージを予め定められた順序で並べて表示しない場合に比べ、ユーザが必要なメッセージを見つけやすくなる。
請求項４の発明によれば、抽出した複数のメッセージを時系列順に並べて表示しない場合に比べ、ユーザが必要なメッセージを見つけやすくなる。
請求項５の発明によれば、コンテンツがユーザにより選択された後も、選択されたこのコンテンツ以外の全てのコンテンツを表示する場合に比べ、ユーザが選択したコンテンツが何れのコンテンツであるかが分かりやすくなる。
請求項６の発明によれば、コンテンツ表示手段が表示するコンテンツと、メッセージ表示手段が表示する複数のメッセージとが、異なる表示画面に表示される場合に比べ、コンテンツとメッセージとの対応関係を把握しやすくなる。
請求項７の発明によれば、コンテンツ表示手段により表示されるコンテンツの表示領域と、メッセージ表示手段により表示される複数のメッセージの表示領域とが、隣り合っていない場合に比べ、コンテンツとメッセージとの対応関係を把握しやすくなる。
請求項８の発明によれば、メッセージ表示欄に、ユーザにより選択されたコンテンツを表す画像を表示しない場合に比べ、コンテンツとメッセージとの対応関係を把握しやすくなる。
請求項９の発明によれば、コンテンツについて言及しているメッセージ又はコンテンツが添付されていたメッセージのみを表示する場合に比べ、より多くのメッセージをユーザに提供できる。
請求項１０の発明によれば、コンテンツについて言及しているメッセージ又はコンテンツが添付されていたメッセージのみを表示する場合に比べ、より多くのメッセージをユーザに提供できる。
請求項１１の発明によれば、コンテンツの表紙を表示する場合に比べ、ユーザがコンテンツの中身の確認を行いやすくなる。
請求項１２の発明によれば、コンテンツおよびメッセージを表示する処理以外の処理を行うことができる。
請求項１３の発明によれば、選択されたコンテンツに紐づいている１つのメッセージのみを抽出する場合に比べ、選択されたコンテンツに関連するメッセージのやりとりを複数人で行っていた場合であっても、選択されたコンテンツに関する有効な情報をユーザに提供できる。
請求項１４の発明によれば、選択されたコンテンツに紐づいている１つのメッセージのみを抽出する場合に比べ、選択されたコンテンツに関連するメッセージのやりとりを複数人で行っていた場合であっても、選択されたコンテンツに関する有効な情報をユーザに提供できる。
【図面の簡単な説明】
【０００７】
【図１】情報処理システムの全体構成を示した図である。
【図２】端末装置のハードウエアの構成を示した図である。
【図３】端末装置のＣＰＵ等により実現される機能部を示した図である。
【図４】管理サーバのハードウエアの構成を示した図である。
【図５】管理サーバのＣＰＵ等により実現される機能部を示した図である。
【図６】端末装置の各々に設けられた表示装置の表示画面の一例を示した図である。
【図６−２】第４表示領域に表示されているコンテンツの中から、一部のコンテンツが選択された後の表示画面を示した図である。
【図７】第４表示領域における表示を切り替えた後の表示画面の一例を示した図である。
【図８】第４表示領域に表示されているコンテンツの選択操作が構成メンバーにより行われた後の、他の表示画面を示した図である。
【図９】ページ内コメント表示用ボタンがユーザにより選択された後の表示画面を示した図である。
【図１０】関連コンテンツ表示用ボタンが構成メンバーにより選択された場合の表示画面を示した図である。
【図１１】コンテンツに対するコメントを構成メンバーが行う際の表示画面の一例を示した図である。
【図１２】コンテンツに対するコメントがなされた後の表示画面を示した図である。
【図１３】新たなコンテンツが情報記憶部に格納された場合の表示画面を示した図である。
【図１４】コンテンツについての承認依頼があった場合の表示画面を示した図である。
【図１５】提案用選択画像がユーザにより選択された場合の表示画面を示した図である。
【発明を実施するための形態】
【０００８】
以下、添付図面を参照して、本発明の実施の形態について説明する。
図１は、情報処理システム１の全体構成を示した図である。
情報処理システム１には、情報処理装置の一例としての管理サーバ３００が設けられている。さらに、情報処理システム１には、ユーザにより操作される複数の端末装置２００が設けられている。この端末装置２００は、コンピュータ装置により構成される。
【０００９】
具体的には、端末装置２００は、例えば、スマートフォン、タブレット、ＰＣ（Personal Computer）などにより構成される。端末装置２００の各々は、インターネットなどの通信回線４００を通じて、管理サーバ３００との間で通信を行う。
なお、図１では、端末装置２００が３台設けられている場合を例示するが、端末装置２００の数は特に限られるものではない。
【００１０】
〔各装置の説明〕
図２は、端末装置２００のハードウエアの構成を示した図である。
端末装置２００の各々は、コンピュータ装置により構成され、端末装置２００の各々には、ＣＰＵ（Central Processing Unit）２０１、ＲＡＭ（Random Access Memory）２０２、ＲＯＭ（Read Only Memory）２０３が設けられている。また、端末装置２００の各々には、ハードディスク装置やフラッシュメモリなどにより構成される記憶装置２０４が設けられている。
【００１１】
さらに、端末装置２００の各々には、外部との通信を行うための通信インタフェース（通信Ｉ／Ｆ）２０５が設けられている。
さらに、端末装置２００の各々には、コンテンツ表示手段、メッセージ表示手段の一部として機能する表示装置２０６が設けられている。
表示装置２０６は、例えば、タッチパネル方式のモニタにより構成され、ユーザからの操作を受け付けるとともに、ユーザへの情報の表示を行う。
【００１２】
ＣＰＵ２０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、端末装置２００へ提供しうる。また、ＣＰＵ２０１によって実行されるプログラムは、インターネットなどの通信手段を用いて端末装置２００へダウンロードしてもよい。
【００１３】
図３は、端末装置２００のＣＰＵ２０１等により実現される機能部を示した図である。なお、この図３では、後述する表示処理に関する機能部のみを表示している。
図３に示すように、端末装置２００は、操作受け付け部２１１、表示制御部２１２、および、送受信部２１３を備える。
【００１４】
操作受け付け部２１１は、操作者が端末装置２００に対して行った操作を受け付ける。具体的には、操作受け付け部２１１は、ユーザが操作するマウスなどからの出力を受け付けたり、表示装置２０６がタッチパネル方式である場合には、表示装置２０６からの出力を受け付けたりして、ユーザが端末装置２００に対して行う操作（後述する、コンテンツの選択操作等）を受け付ける。
コンテンツ表示手段、メッセージ表示手段の一部として機能する表示制御部２１２は、表示装置２０６を制御するための信号を生成して、表示装置２０６の表示制御を行う。
送受信部２１３は、管理サーバ３００との間で、情報の送受信を行う。
【００１５】
図４は、管理サーバ３００のハードウエアの構成を示した図である。
情報処理装置の一例としての管理サーバ３００は、コンピュータ装置により構成され、管理サーバ３００には、ＣＰＵ（Central Processing Unit）３０１、ＲＡＭ（Random Access Memory）３０２、ＲＯＭ（Read Only Memory）３０３が設けられている。また、ハードディスク装置などにより構成される記憶装置３０４が設けられている。さらに、管理サーバ３００には、外部との通信を行うための通信インタフェース（通信Ｉ／Ｆ）３０５が設けられている。
【００１６】
ＣＰＵ３０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、管理サーバ３００へ提供しうる。また、ＣＰＵ３０１によって実行されるプログラムは、インターネットなどの通信手段を用いて管理サーバ３００へダウンロードしてもよい。
【００１７】
図５は、管理サーバ３００のＣＰＵ３０１等により実現される機能部を示した図である。なお、この図５では、後述する表示処理に関する機能部のみを表示している。
図５に示すように、管理サーバ３００は、情報記憶部３１１、メッセージ抽出部３１２、処理部３１３、出力部３１４を備える。
【００１８】
記憶手段の一例としての情報記憶部３１１は、複数のコンテンツと、複数人から発信された複数のメッセージとを記憶する。また、情報記憶部３１１は、コンテンツと、このコンテンツに関連するメッセージとを紐付けて記憶する。より具体的には、情報記憶部３１１は、例えば、コンテンツと、このコンテンツが添付されていたメッセージとを紐付けて記憶する。
抽出手段の一例としてのメッセージ抽出部３１２は、コンテンツがユーザにより選択された場合に、情報記憶部３１１から、このコンテンツについて言及しているメッセージ又はこのコンテンツが添付されていたメッセージを複数抽出する。
メッセージ抽出部３１２は、コンテンツについて言及しているメッセージの抽出にあたっては、例えば、まず、選択されたコンテンツのタイトルなど、このコンテンツに含まれている情報を取得する。そして、メッセージ抽出部３１２は、取得したこの情報を含んでいるメッセージを抽出する。
処理手段の一例としての処理部３１３は、操作者が端末装置２００を介して行った操作に対して予め対応付けられている処理など、予め定められた処理を実行する。
出力手段の一例としての出力部３１４は、端末装置２００等への情報の出力（送信）を行う。
【００１９】
〔処理の具体例〕
図６は、端末装置２００の各々に設けられた表示装置２０６の表示画面２００Ａ（図１参照）の一例を示した図である。
なお、表示装置２０６における表示は、管理サーバ３００からの指示に応じて行われる。具体的には、管理サーバ３００の出力部３１４から、端末装置２００に対し、表示に関する指示が出力され、端末装置２００の表示制御部２１２が、この指示に応じて、表示装置２０６の表示制御を行う。
【００２０】
ここで、図６以降で説明する各表示画面２００Ａは、複数のユーザにより実行されるプロジェクトの管理に用いられる表示画面２００Ａである。
この表示画面２００Ａは、複数のユーザにより共有される表示画面２００Ａであり、各ユーザが、自身の端末装置２００を介して管理サーバ３００にアクセスすると、各ユーザの端末装置２００では、この共有される表示画面２００Ａが表示される。
【００２１】
図６にて示す表示画面２００Ａでは、複数の表示領域が設けられている。具体的には、第１表示領域５０１〜第４表示領域５０４の４つの表示領域が設けられている。
図中左上に位置する第１表示領域５０１は、プロジェクト一覧表示領域であり、ここには、現在進行中の複数のプロジェクトが一連形式で表示される。
本実施形態では、第１表示領域５０１の中から、何れかのプロジェクトが選択されると、残りの表示領域である第２表示領域５０２〜第４表示領域５０４における表示が切り替えられ、これらの表示領域では、選択したプロジェクトに対応した表示が行われる。
【００２２】
第２表示領域５０２は、プロジェクトを遂行する構成メンバーを表示する表示領域であり、プロジェクトの各々に対応した構成メンバーが表示される。
第２表示領域５０２では、ユーザにより選択されたプロジェクトに応じて、表示される構成メンバーが変化する。
【００２３】
第３表示領域５０３は、メッセージ表示領域であり、構成メンバーの間で送信された複数のメッセージ５０３Ａが表示される。第３表示領域５０３についても、ユーザにより選択されたプロジェクトに応じて、表示されるメッセージ５０３Ａが変化する。
ここで、本実施形態において、「メッセージ」とは、構成メンバーが自身以外の者に伝えたい情報を指す。
【００２４】
第３表示領域５０３では、メッセージ５０３Ａが時系列順に表示される。
より具体的には、この例では、時間的に最も新しいメッセージ５０３Ａが最下部に位置し、古いメッセージ５０３Ａが上部に位置するようにメッセージ５０３Ａが表示される。
なお、逆でもよく、最も新しいメッセージ５０３Ａが最上部に位置し、古いメッセージ５０３Ａが下部に位置するようにメッセージ５０３Ａを表示してもよい。
【００２５】
さらに、第３表示領域５０３では、メッセージ５０３Ａを送信した送信者についての情報（氏名など、送信者を特定する情報）や、メッセージ５０３Ａの送信日時についての情報が、各メッセージ５０３Ａに対応付けて表示される。
さらに、本実施形態では、符号６Ｐで示すように、構成メンバーは、付箋を示す画像をメッセージ５０３Ａに付加できるようになっている。これにより、例えば、構成メンバーによる評価が高いメッセージ５０３Ａや、各構成メンバーが気になるメッセージ５０３Ａの把握を行える。
【００２６】
また、第３表示領域５０３の下部には、音声入力用ボタン５１１、コンテンツ貼付用ボタン５１２、メッセージ送信用ボタン５１３が表示されている。
構成メンバーからのメッセージ５０３Ａは、音声でも入力できるようになっており、構成メンバーは、音声での入力を行う場合には、音声入力用ボタン５１１を選択（押圧）したうえで、マイク（不図示）に対する発話を行う。
【００２７】
これにより、メッセージ５０３Ａが受け付けられ、第３表示領域５０３に、このメッセージ５０３Ａが表示される。
なお、第３表示領域５０３に表示されるメッセージ５０３Ａについては、構成メンバーにより入力されたメッセージ５０３Ａそのものを表示するようにしてもよいし、処理部３１３（図５参照）にて翻訳処理を行い、翻訳後のメッセージ５０３Ａを表示してもよい。
【００２８】
コンテンツ貼付用ボタン５１２は、構成メンバーが、メッセージ５０３Ａに対してコンテンツ（後述）を添付する際に操作するボタンである。
本実施形態では、コンテンツ貼付用ボタン５１２が選択（押圧）されると、コンテンツの一覧が表示され（不図示）、この一覧から選択されたコンテンツが、メッセージ５０３Ａに貼付される。
【００２９】
メッセージ送信用ボタン５１３は、送信するメッセージ５０３Ａの内容が確定された場合に構成メンバーにより押圧されるボタンである。メッセージ送信用ボタン５１３が、構成メンバーにより押圧されると、この構成メンバーが操作する端末装置２００から、管理サーバ３００に対し、メッセージ５０３Ａが送信される。
そして、本実施形態では、管理サーバ３００にてこのメッセージ５０３Ａが受け付けられ、さらに、このメッセージ５０３Ａが、他のユーザの端末装置２００に表示される。
【００３０】
第４表示領域５０４は、コンテンツ表示領域であり、第４表示領域５０４には、コンテンツ表示手段の一部として機能する表示制御部２１２（図３参照）によって、各プロジェクトに関連するコンテンツを示す画像（以下、単に「コンテンツ５２０」と称する）が表示される。
より具体的には、第４表示領域５０４には、複数のコンテンツ５２０の各々が、サムネイル画像として表示される。
【００３１】
ここで、「コンテンツ」とは、文書、画像、音声などを示す個々の情報のことを指す。
コンテンツとしては、テキストファイルだけではなく、写真、動画、音声に関するファイルもコンテンツといえる。また、ファイルだけに限らず、後述する、Ｗｅｂサイトを示す情報なども、コンテンツといえる。言い換えると、情報を含み、一つの単位として扱える情報は、コンテンツと言える。
本実施形態の第４表示領域５０４では、コンテンツ５２０が視覚化されたうえで、各コンテンツ５２０が表示される。
【００３２】
第４表示領域５０４では、コンテンツ５２０の配置態様を変えられるようになっており、例えば、１つのコンテンツ５２０をドラックアンドドロップにより他の場所へ移動することで、コンテンツ５２０の配置態様を変えられる。
また、本実施形態では、一つのコンテンツ５２０の上に、他のコンテンツ５２０を置くことで、複数のコンテンツ５２０を一つのコンテンツ５２０に束ねられるようになる。
また、図６では、第４表示領域５０４に、ファイル形式のコンテンツ５２０が表示されているが、Ｗｅｂサイトを示す情報などもコンテンツ５２０として扱うことができ、第４表示領域５０４には、ファイル形式ではない情報も、コンテンツ５２０として表示される。
【００３３】
本実施形態では、コンテンツ５２０が添付されてメッセージ５０３Ａが送信されると、このコンテンツ５２０は、情報記憶部３１１に格納される。
より具体的には、このコンテンツ５２０は、メッセージ５０３Ａとともに情報記憶部３１１に格納され、さらに、このメッセージ５０３Ａに紐づけられた状態（対応付けられた状態）で、情報記憶部３１１に格納される。
【００３４】
言い換えると、本実施形態では、コンテンツ５２０およびメッセージ５０３Ａは、情報記憶部３１１に格納され、さらに、コンテンツ５２０は、自身が添付されていたメッセージ５０３Ａに紐付けられた状態（対応付けられた状態）で、情報記憶部３１１に格納される。
これにより、本実施形態は、コンテンツ５２０に対応するメッセージ５０３Ａの把握を行えるようなり、また、逆に、メッセージ５０３Ａに対応するコンテンツ５２０の把握を行えるようになる。
【００３５】
付言すると、本実施形態では、記憶手段の一例としての情報記憶部３１１は、コンテンツ５２０と、コンテンツ５２０に関連するメッセージ５０３Ａとを紐付けて記憶する。
さらに、本実施形態では、コンテンツ５２０が添付されてメッセージ５０３Ａが送信されると、このコンテンツ５２０が、コンテンツ表示領域である第４表示領域５０４に表示され、メッセージ５０３Ａが、メッセージ表示領域である第３表示領域５０３に表示される。
【００３６】
なお、本実施形態では、メッセージ５０３Ａにコンテンツ５２０が添付されている場合に、このコンテンツ５２０を、情報記憶部３１１に格納し、さらに、第４表示領域５０４に表示する場合を説明したが、これは一例である。
その他に、例えば、メッセージ５０３Ａにて言及されているコンテンツ５２０を、インターネットなどで検索して取得して、情報記憶部３１１に格納し、さらに、第４表示領域５０４に表示してもよい。
【００３７】
また、図６に示すように、本実施形態では、第４表示領域５０４の下部に、コンテンツ５２０に対する処理をユーザが行う際にユーザにより選択される複数の選択画像５６０が表示されている。
具体的には、５つの選択画像５６０が表示されている。
【００３８】
より具体的には、本実施形態では、翻訳処理を行う際に選択される選択画像５６０（以下、「翻訳用選択画像５６０Ａ」）、レビュー依頼を行う際に選択される選択画像５６０（以下、「レビュー用選択画像５６０Ｂ」）が表示されている。
さらに、承認依頼を行う際に選択される選択画像５６０（以下、「承認用選択画像５６０Ｃ」）、ＯＣＲ（Optical Character Recognition）処理を行う際に選択される選択画像５６０（以下、「ＯＣＲ用選択画像５６０Ｄ」）、提案の依頼を行う際に選択される選択画像５６０（以下、「提案用選択画像５６０Ｅ」）が表示されている。
【００３９】
本実施形態では、第４表示領域５０４に表示されているコンテンツ５２０を、選択画像５６０の何れに対してドラッグアンドドロップを行うと、このコンテンツ５２０に対して、選択画像５６０に対応付けられている処理が実行される。
言い換えると、本実施形態では、第４表示領域５０４に表示されているコンテンツ５２０の何れかを、選択画像５６０が表示されている箇所（表示画面２００Ａにおける予め定められた箇所）まで移動させると、この箇所に対応付けられている処理が、コンテンツ５２０に対して行われる。
【００４０】
ここで、翻訳用選択画像５６０Ａが選択されると（コンテンツ５２０が翻訳用選択画像５６０Ａまで移動すると）、このコンテンツ５２０に含まれる文書の翻訳を行い、元の言語とは異なる言語による文書を含んだコンテンツ５２０が生成される。
より具体的には、処理部３１３（図５参照）によって、翻訳処理が行われて、元の言語とは異なる言語による文書を含んだコンテンツ５２０が生成される。
【００４１】
また、レビュー用選択画像５６０Ｂが選択されると（コンテンツ５２０がレビュー用選択画像５６０Ｂまで移動すると）、レビューを行う予め定められた構成メンバーに対して、レビューの依頼があった旨が通知される。
より具体的には、第３表示領域５０３に（メッセージ表示欄に）、レビューの依頼があった旨、レビューを行う構成メンバーを示す情報が表示される。これにより、レビューを行う者によるコンテンツ５２０のレビューが行われる。
【００４２】
また、承認用選択画像５６０Ｃが選択されると（コンテンツ５２０が承認用選択画像５６０Ｃまで移動すると）、このコンテンツ５２０の承認を行う構成メンバーに対して、承認の依頼があった旨が通知される。
具体的には、第３表示領域５０３に（メッセージ表示欄に）、承認の依頼があった旨、承認を行う構成メンバーを示す情報が表示される。これにより、承認を行う構成メンバーによるコンテンツ５２０の承認、あるいは、差し戻しが行われる。
【００４３】
また、ＯＣＲ用選択画像５６０Ｄが選択されると（コンテンツ５２０がＯＣＲ用選択画像５６０Ｄまで移動すると）、処理部３１３が、このコンテンツ５２０内の文書画像に対するＯＣＲ処理を行う。
また、提案用選択画像５６０Ｅが選択されると（コンテンツ５２０が提案用選択画像５６０Ｅまで移動すると）、処理部３１３が、このコンテンツ５２０に関連する情報を、検索して特定する（インターネット検索や、情報記憶部３１１に格納されている情報の検索を行って特定する）。そして、端末装置２００の表示制御部２１２が、特定されたこの関連する情報を、例えば、第３表示領域５０３（メッセージ表示欄）に表示する。
【００４４】
なお、上記５つの選択画像５６０による処理は、コンテンツ５２０に対する処理のみではなく、メッセージ５０３Ａなど他の情報に対する処理に用いてもよい。
具体的には、例えば、メッセージ５０３Ａに関して、翻訳用選択画像５６０Ａが選択されると（メッセージ５０３Ａが翻訳用選択画像５６０Ａまで移動すると）、このメッセージ５０３Ａの翻訳を行い、元の言語とは異なる言語によるメッセージ５０３Ａを生成するようにしてもよい。
【００４５】
また、例えば、メッセージ５０３Ａに関して、提案用選択画像５６０Ｅが選択された場合には、このメッセージ５０３Ａに関連する関連情報を特定して、この関連情報を、第３表示領域５０３等に表示するようにしてもよい。
具体的には、例えば、メッセージ５０３Ａの内容が、問題の解決策を探していることを示す内容である場合に、例えば、この問題の解決策を提案するようにしてもよいし、また、例えば、この問題を解決しうる人物を特定して提案するようにしてもよい。
【００４６】
また、本実施形態では、図６に示すように、第４表示領域５０４の右上に、第４表示領域５０４の表示形式を切り替える操作を、構成メンバーから受け付けるための操作部５７０が表示されている。本実施形態では、ユーザがこの操作部５７０に対する操作を行うことで、第４表示領域５０４における表示が切り替えられる。
【００４７】
具体的には、本実施形態では、各コンテンツ５２０が散らばった状態で表示される表示形式（図６の第４表示領域５０４にて示している表示形式）、各コンテンツ５２０をリスト形成で表示する表示形式、レンズビューなどの表示形成で、各コンテンツ５２０が表示される。
【００４８】
なお、図６にて示す表示画面２００Ａでは、複数の構成メンバーにより共有される４つの表示領域を示したが、図６にて示す表示画面２００Ａにおける表示に加え（第１表示領域５０１〜第４表示領域５０４に加え）、ユーザの各々に対応した表示領域（ユーザ毎の用意され共有されない表示領域）を表示するようにしてもよい。
【００４９】
この場合、例えば、ユーザ毎の個別の表示領域と、共有の表示領域との間で、コンテンツ５２０を移動させることで、個人のコンテンツ５２０を、共有のコンテンツとすることができ、また、逆に、共有のコンテンツ５２０を、個人の表示領域にコピーすることで、各ユーザは、個人用のコンテンツ５２０を得られるようになる。
【００５０】
図６−２は、第４表示領域５０４に表示されているコンテンツ５２０の中から、一部のコンテンツ５２０が選択された後の表示画面２００Ａを示した図である。
より具体的には、図６−２は、第４表示領域５０４に表示されているコンテンツ５２０の一部のコンテンツ５２０が、構成メンバーの一員である「Ｔａｋａｇｉ」により選択された場合の表示画面２００Ａを示した図である。
【００５１】
本実施形態では、第４表示領域５０４に表示されている複数のコンテンツ５２０のうちの、少なくとも１つのコンテンツ５２０が、構成メンバー（本実施形態では、「Ｔａｋａｇｉ」）により選択されると、表示画面２００Ａの表示内容が切り替えられる。
具体的には、コンテンツ５２０が構成メンバーにより選択されると、選択されたこのコンテンツ５２０に関連するメッセージ５０３Ａが、表示画面２００Ａに表示される。
【００５２】
具体的には、本実施形態では、第４表示領域５０４に表示されている複数のコンテンツ５２０の中から、少なくとも１つのコンテンツ５２０が選択されると、選択されたこのコンテンツ５２０について言及しているメッセージ５０３Ａ又はこのコンテンツ５２０が添付されていたメッセージ５０３Ａが複数抽出される。
【００５３】
より具体的には、コンテンツ５２０が選択されると、メッセージ抽出部３１２が、情報記憶部３１１から、選択されたコンテンツ５２０について言及しているメッセージ５０３Ａ又はこのコンテンツ５２０が添付されていたメッセージ５０３Ａを複数抽出する。
そして、メッセージ表示手段の一部として機能する表示制御部２１２が、図６−２の符号６Ａに示すように、抽出されたこの複数のメッセージ５０３Ａを、第３表示領域５０３に表示する。
【００５４】
ここで、本実施形態では、第４表示領域５０４に表示されていた複数のコンテンツ５２０のうち、「ラフスケッチ」というコンテンツ５２０が、構成メンバーの一人（「Ｔａｋａｇｉ」）により選択された場合を例示している。
この場合、本実施形態では、メッセージ抽出部３１２によって、この「ラフスケッチ」について言及しているメッセージ５０３Ａである、「Ｏｋｕｂｏ」の１通目のメッセージ５０３Ａ（符号６Ｂで示すメッセージ）が抽出される。
付言すると、この場合、メッセージ抽出部３１２によって、コンテンツ５２０に含まれている情報である、タイトルについて言及しているメッセージ５０３Ａが抽出される。
なお、ここでは、メッセージ抽出部３１２は、コンテンツ５２０のタイトルに基づき、メッセージ５０３Ａを抽出したが、タイトルに限らず、例えば、コンテンツ５２０の内容を把握し、この内容について言及しているメッセージ（コンテンツ５２０の内容を含んでいるメッセージ）を、抽出するようにしてもよい。
ここで、「コンテンツについて言及しているメッセージ」とは、コンテンツを特定しうる情報を含んでいるメッセージと言える。
【００５５】
さらに、本実施形態では、「Ｈａｓｕｉｋｅ」のメッセージ５０３Ａ（符号６Ｃで示すメッセージ）にも、「ラフスケッチ、ありがとうございます。」という文言が入っている。
このため、本実施形態では、メッセージ抽出部３１２によって、「ラフスケッチ」について言及している、この「Ｈａｓｕｉｋｅ」のメッセージ５０３Ａも抽出される。
【００５６】
そして、本実施形態では、メッセージ抽出部３１２によって抽出された、この２通のメッセージ５０３Ａ（「Ｏｋｕｂｏ」の１通目のメッセージ５０３Ａ、「Ｈａｓｕｉｋｅ」のメッセージ）についての情報が、管理サーバ３００の出力部３１４により出力される。
これにより、端末装置２００では、第３表示領域５０３に、メッセージ抽出部３１２によって抽出されたこの２通のメッセージ５０３Ａが表示される。
【００５７】
さらに、本実施形態では、メッセージ抽出部３１２によって、符号６Ｄで示す、「Ｏｋｕｂｏ」の２通目のメッセージ５０３Ａも抽出され、このメッセージ５０３Ａも、端末装置２００に表示される。
具体的には、メッセージ抽出部３１２は、「Ｏｋｕｂｏ」の２通目のメッセージ５０３Ａを、上記「Ｈａｓｕｉｋｅ」のメッセージ５０３Ａ（符号６Ｃで示したメッセージ５０３Ａ）に関連するメッセージ５０３Ａであるとして抽出する。
そして、抽出された、この「Ｏｋｕｂｏ」の２通目のメッセージ５０３Ａも、第３表示領域５０３に表示される。
【００５８】
ここで、２通目の「Ｏｋｕｂｏ」のメッセージ５０３Ａには、「返信」を示すマーク６Ｘが付されており（返信を示す情報が付されており）、２通目の「Ｏｋｕｂｏ」のメッセージ５０３Ａは、「Ｈａｓｕｉｋｅ」のメッセージ５０３Ａに対する返信メッセージである。
【００５９】
この場合、メッセージ抽出部３１２は、２通目の「Ｏｋｕｂｏ」のメッセージ５０３Ａは、「Ｈａｓｕｉｋｅ」のメッセージ５０３Ａに関連するメッセージであるとして、この２通目の「Ｏｋｕｂｏ」のメッセージ５０３Ａを抽出する。
そして、本実施形態では、この２通目の「Ｏｋｕｂｏ」のメッセージ５０３Ａも、第３表示領域５０３に表示する。
【００６０】
なお、本実施形態では、上記２通のメッセージに含まれるメッセージに対する返信メッセージを関連メッセージとしたが、関連メッセージは、返信メッセージに限られない。
上記２通のメッセージに含まれるメッセージが、返信メッセージである場合には、この返信メッセージの元となった送信メッセージも、関連メッセージとなり、この場合、メッセージ抽出部３１２は、この送信メッセージも抽出する。
より具体的には、例えば、上記１通目の「Ｏｋｕｂｏ」のメッセージが、返信メッセージである場合には、この返信メッセージの元となった送信メッセージが、関連メッセージとなり、メッセージ抽出部３１２は、この送信メッセージも抽出する。
【００６１】
さらに、図６−２にて示す表示例では、第３表示領域５０３には、コンテンツの選択を行った構成メンバー以外の構成メンバーが発信したメッセージ５０３Ａが表示されことになる。
具体的には、この例では、コンテンツ５２０の選択を行った構成メンバーは、上記のとり、「Ｔａｋａｇｉ」であるが、第３表示領域５０３には、「Ｔａｋａｇｉ」以外の構成メンバーである、「Ｏｋｕｂｏ」、「Ｈａｓｕｉｋｅ」が発信したメッセージ５０３Ａが表示される。
【００６２】
また、図６−２に示すように、本実施形態では、コンテンツ５２０がユーザにより選択された場合、第４表示領域５０４では、選択されたこのコンテンツ５２０以外の全てのコンテンツ５２０が消去される。これにより、選択されたコンテンツ５２０がより明確となる。
【００６３】
なお、全てを消去せず、一部のコンテンツを残して表示してもよい。
付言すると、本実施形態では、選択されたコンテンツ５２０以外のコンテンツに含まれる、１つ以上のコンテンツ５２０を消去する。
これにより、コンテンツ５２０を全く消去しない場合に、コンテンツ５２０の表示件数が減り、選択されたコンテンツ５２０がより明確となる。
【００６４】
また、上記では、選択されたこのコンテンツ５２０について言及している複数のメッセージ５０３Ａを抽出する場合を説明したが、これに限らず、選択されたこのコンテンツ５２０が添付されていた複数のメッセージ５０３Ａが存在する場合には、コンテンツ５２０が添付されていたこの複数のメッセージ５０３Ａを抽出するようにしてもよい。
【００６５】
より具体的には、例えば、一のコンテンツが添付されていたメッセージが存在し、さらに、この一のコンテンツが添付されていた他のメッセージが存在する場合には、この２つのメッセージを抽出してもよい。
また、この場合も、上記と同様、返信メッセージや送信メッセージなど、抽出したメッセージに関連する他のメッセージがある場合には、関連するこの他のメッセージも抽出すること好ましい。
【００６６】
本実施形態では、コンテンツ５２０の選択が行われると、このように、第３表示領域５０３では、選択されたコンテンツ５２０に応じた複数のメッセージ５０３Ａが表示される。
ここで、この複数のメッセージ５０３Ａは、予め定められた順序で並べられた状態で表示される。具体的には、この複数のメッセージ５０３Ａは、時系列順に並んだ状態で表示される。これにより、構成メンバーは、必要とするメッセージ５０３Ａを見つけやすくなる。
【００６７】
さらに、本実施形態では、図６−２の符号６Ｙで示すように、構成メンバーにより選択されたコンテンツ５２０を表す画像が、メッセージ表示欄である第３表示領域５０３にも表示される。
より具体的には、構成メンバーにより選択されたコンテンツ５２０を表すサムネイル画像が、第３表示領域５０３にも表示される。
さらに、本実施形態では、構成メンバーにより選択されたコンテンツ５２０を表すこの画像は、このコンテンツ５２０について言及している上記２通のメッセージ５０３Ａ（符号６Ａで示す２通のメッセージ５０３Ａ）の間に配置される。
【００６８】
このように、構成メンバーにより選択されたコンテンツ５２０を表す画像を、第３表示領域５０３にも表示すると、第３表示領域５０３においても、構成メンバーにより選択されたコンテンツ５２０が、何れのコンテンツ５２０であるかの把握を行える。
また、このように、メッセージ表示欄である第３表示領域５０３にも、選択されたコンテンツ５２０を表示すると、第４表示領域５０４のみに、選択されたコンテンツ５２０を表示する場合に比べ、メッセージ５０３Ａとコンテンツ５２０との対応関係がより明確に表示されるようになる。
【００６９】
さらに、本実施形態では、図６−２に示すように、表示されるコンテンツ５２０、および、表示される複数のメッセージ５０３Ａは、共通の表示画面２００Ａに表示される。
また、本実施形態では、コンテンツ５２０は、互いに隣り合った表示領域の一方の表示領域に表示され、複数のメッセージ５０３Ａは、他方の表示領域に表示される。
【００７０】
具体的には、本実施形態では、互いに隣り合う第３表示領域５０３および第４表示領域５０４が設けられ、一方の表示領域である第４表示領域５０４に、コンテンツ５２０が表示され、他方の表示領域である第３表示領域５０３に、複数のメッセージ５０３Ａが表示される。
【００７１】
これにより、コンテンツ５２０および複数のメッセージ５０３Ａが、別々の表示画面２００Ａに表示される場合や、コンテンツ５２０および複数のメッセージ５０３Ａが、互いに離れた関係にある表示領域の各々に配置される場合に比べ、コンテンツ５２０とメッセージ５０３Ａとの対応関係の把握をより行いやすくなる。
【００７２】
図７は、第４表示領域５０４における表示を切り替えた後の表示画面２００Ａの一例を示した図である。
上記のとおり、本実施形態では、第４表示領域５０４の表示形式を切り替える操作を受け付けるための操作部５７０が設けられており、この操作部５７０に対する操作を構成メンバーが行うと、この構成メンバーの端末装置２００における表示が切り替わる。
【００７３】
図７では、表示が切り替わった後の表示画面２００Ａを示しており、この表示画面２００Ａでは、一部のコンテンツ５２０にて（符号７Ａで示す２つのコンテンツ５２０の各々にて）、表紙Ｐ０以外のページである、ページＰ１〜Ｐ３が表示されている。
これにより、図７にて示すこの表示画面２００Ａでは、コンテンツ５２０を開かないでも、コンテンツ５２０の内容の確認を行える。
【００７４】
ここで、表紙Ｐ０以外のページを表示するにあたっては、予め定められた条件を満たすページを表示する。具体的には、例えば、ユーザによる参照頻度が高いページを表示する。
なお、図７にて示す表示画面２００Ａでは、一部のコンテンツ５２０にて、表紙Ｐ０以外のページの表示を行ったが、第４表示領域５０４の全てのコンテンツ５２０において、表紙Ｐ０以外のページの表示を行ってもよい。
【００７５】
さらに、この図７にて示す表示画面２００Ａでは、コンテンツ５２０（各コンテンツ５２０を囲む外周縁５０９の径）の大きさも異なっている。付言すると、図７にて示す表示画面２００Ａでは、予め定められた条件に従い、コンテンツ５２０の大きさを変更している。具体的には、コンテンツ５２０の参照頻度などに応じて、コンテンツ５２０の大きさを変更している。より具体的には、参照頻度が大きいほど、コンテンツ５２０を大きくしている。
【００７６】
さらに、本実施形態では、コンテンツ５２０の絞り込みを行う操作を、構成メンバーから受け付けるための絞り込み用受け付け部（不図示）が、表示される。
本実施形態では、この絞り込み用受け付け部を操作したり、絞り込み用受け付け部に設けられた入力ボックス（不図示）にキーワードを入力したりすることで、コンテンツ５２０の絞り込み（フィルタリング）を行える。
より具体的には、参照回数、作成日時、作成者、作成場所などの情報をキーとして、コンテンツ５２０の絞り込みを行える。
【００７７】
なお、図７にて示されている第４表示領域５０４における表示は、コンビニエンスストアなどに設置されているコピー機に設置されている表示装置にも表示されるようにしてもよい。
より具体的には、コンビニエンスストアなどに設置されているコピー機にて、ユーザ認証を行ってユーザを特定し、このユーザが上記構成メンバーの何れかであった場合、第４表示領域５０４における表示と同じ表示を、コピー機の表示装置に行ってもよい。
これにより、構成メンバーは、コンビニエンスストアなどにおいても、コンテンツ５２０の印刷を行えるようになる。また、この印刷を行うときの表示画面が、見慣れている表示画面となるため、コンテンツ５２０の印刷がより行いやすいものとなる。
【００７８】
図８は、第４表示領域５０４に表示されているコンテンツ５２０の選択操作が構成メンバーにより行われた後の、他の表示画面２００Ａを示した図である。
具体的には、本実施形態では、コンテンツ５２０の選択操作がなされると、図６−２に示した表示画面２００Ａとなるが、他の選択操作によってコンテンツ５２０の選択操作を行うと、図８に示す表示画面２００Ａに切り替わる。
より具体的には、本実施形態では、例えば、ダブルクリックによってコンテンツ５２０の選択操作を行うと、図６−２に示した表示画面２００Ａとなり、右クリックにより表示されるメニューからの操作を行うと、図８に示す表示画面２００Ａとなる。
【００７９】
図８にて示すこの表示画面２００Ａでは、コンテンツ拡大表示領域８Ａと、メッセージ表示領域８Ｂとが設けられている。
コンテンツ拡大表示領域８Ａでは、選択されたコンテンツ５２０が拡大されて表示される。また、このコンテンツ拡大表示領域８Ａには、バージョン情報表示欄５２８と、バージョン変更用ボタン５２９が設けられている。
メッセージ表示領域８Ｂには、選択されたコンテンツ５２０に関連するメッセージ５０３Ａが表示される。
【００８０】
具体的には、上記と同様（図６−２にて示した表示と同様）、このメッセージ表示領域８Ｂでも、選択されたコンテンツ５２０について言及しているメッセージ５０３Ａや、選択されたコンテンツ５２０が添付されていたメッセージ５０３Ａが表示される。さらに、返信メッセージや、送信メッセージなどの関連メッセージも表示される。
言い換えると、図６−２における表示と、図８における表示とは、表示の形式が異なるものの、表示内容は同じとなっている。
【００８１】
コンテンツ拡大表示領域８Ａのバージョン情報表示欄５２８には、拡大表示されているコンテンツ５２０のバージョン情報が表示されている。
本実施形態では、バージョンが変更される前のコンテンツ５２０も、情報記憶部３１１（図５参照）に格納されており、バージョン変更用ボタン５２９が操作されて他のバージョンが選択されると、バージョン情報表示欄５２８における表示が、他のバージョンを示す表示に切り替わる。
【００８２】
また、バージョン変更用ボタン５２９が操作されて他のバージョンが選択されると、選択されたこの他のバージョンに対応したコンテンツ５２０が、コンテンツ拡大表示領域８Ａに表示される。
また、バージョン変更用ボタン５２９が操作されて他のバージョンが選択されると、メッセージ表示領域８Ｂでは、この他のバージョンのコンテンツ５２０に関連するメッセージ５０３Ａが表示される。
【００８３】
本実施形態では、コンテンツ５２０の更新処理が行われると、この更新が行われる前のコンテンツ５２０、および、更新が行われた後のコンテンツ５２０が、情報記憶部３１１に格納される。
より具体的には、ユーザによりコンテンツ５２０の更新が行われ、例えば、更新後のこのコンテンツ５２０が添付されてメッセージ５０３Ａが送信されると、添付されたコンテンツ５２０（更新後のコンテンツ５２０）が、情報記憶部３１１に格納される。
これにより、本実施形態では、上記のように、異なるバージョンのコンテンツ５２０の確認も行えるようになる。
【００８４】
メッセージ表示領域８Ｂには、表示内容切替用ボタン５０５、表示順切り替えボタン５０６、メッセージ表示欄５０７が設けられている。
表示内容切替用ボタン５０５には、メッセージ表示用ボタン５０５Ａ、ページ内コメント表示用ボタン５０５Ｂ、関連コンテンツ表示用ボタン５０５Ｃが設けられている。
【００８５】
メッセージ表示用ボタン５０５Ａがユーザにより選択された場合には、コンテンツ拡大表示領域８Ａに表示されているコンテンツ５２０に関連するメッセージ５０３Ａが、メッセージ表示領域８Ｂに表示される。
また、ページ内コメント表示用ボタン５０５Ｂや、関連コンテンツ表示用ボタン５０５Ｃがユーザにより選択された場合には、メッセージ表示領域８Ｂにおける表示が切り替わり、他の表示がなされる。なお、ページ内コメント表示用ボタン５０５Ｂや、関連コンテンツ表示用ボタン５０５Ｃが選択された場合の表示については後述する。
【００８６】
また、本実施形態では、表示順切り替えボタン５０６が操作されると、メッセージ表示欄５０７にて表示されているメッセージ５０３Ａの表示順が切り替われる。
具体的には、表示順切り替えボタン５０６は、プルダウン形式のボタンとなっており、この表示順切り替えボタン５０６をユーザが操作することで、例えば、盛り上がった順や、時系列順で、メッセージ５０３Ａが表示される。
ここで、盛り上がった順における盛り上がったか否かは、上記の付箋（図６の符号６Ｐ参照）の数や、「いいね」（不図示）などの肯定的な評価の数に基づき判断する。
【００８７】
なお、図８では、図示を省略しているが、構成メンバーの名前などをキーとして、メッセージ５０３Ａの絞り込み（フィルタリング）を行えるようにしてもよい。
具体的には、入力ボックスを設け、この入力ボックスに入力された、構成メンバーの情報に基づいて、メッセージ５０３Ａの絞り込みを行い、メッセージ表示欄５０７に表示されるメッセージ５０３Ａを異ならせるようにしてもよい。
【００８８】
図９は、図８にて示した、ページ内コメント表示用ボタン５０５Ｂがユーザにより選択された後の表示画面２００Ａを示した図である。
ページ内コメント表示用ボタン５０５Ｂがユーザにより選択された場合は、コンテンツ拡大表示領域８Ａに表示されているコンテンツ５２０に対して書き込まれたコメントが、メッセージ表示領域８Ｂに表示される。
【００８９】
図９に示す表示例では、コンテンツ５２０内のイラストを最新版に差し替えることを要求するコメントが表示されている。さらに、コンテンツ５２０内の文字のフォントを、大きくすることを要求するコメントが表示されている。
さらに、図９に示す表示例では、フォントを大きくすべき文字を特定するための画像であって、ユーザによりコンテンツ５２０に対して書き込まれた画像（符号９Ａで示す画像）が、表示されている。
【００９０】
さらに、図９に示すこの表示画面２００Ａでは、符号９Ｂで示すように、原稿をスキャンすることにより得られた読み取り画像（原稿をスキャナ（画像読み取り装置）で読み取ることにより得られた読み取り画像）が、表示されている。
【００９１】
より具体的には、この例では、構成メンバーが、自身が有する原稿が、コンテンツ拡大表示領域８Ａに表示されているコンテンツ５２０に関連していると考えている場合を例示している。そして、この例では、このユーザがこの原稿の読み取りを行い、読み取りにより得られた読み取り画像が、情報記憶部３１１に格納され、さらに、メッセージ表示領域８Ｂに表示されている場合を示している。
【００９２】
図１０は、関連コンテンツ表示用ボタン５０５Ｃが構成メンバーにより選択された場合の表示画面２００Ａを示した図である。
関連コンテンツ表示用ボタン５０５Ｃが構成メンバーにより選択されると、コンテンツ拡大表示領域８Ａに表示されているコンテンツ５２０に関連するコンテンツ５２０が、メッセージ表示領域８Ｂに表示される。
【００９３】
ここで、関連するコンテンツ５２０としては、例えば、コンテンツ拡大表示領域８Ａに表示されているコンテンツ５２０とともに送信されたコンテンツ５２０が一例として挙げられる。言い換えると、一つのメッセージに貼付されていた複数のコンテンツ５２０のうちの、コンテンツ拡大表示領域８Ａに表示されているコンテンツ５２０とは異なる方のコンテンツ５２０が一例として挙げられる。
また、関連するコンテンツ５２０としては、例えば、コンテンツ拡大表示領域８Ａに表示されているコンテンツ５２０が添付されていたメッセージ５０３Ａに関連するメッセージ５０３Ａに貼付されていたコンテンツ５２０が一例として挙げられる。
【００９４】
具体的には、例えば、コンテンツ拡大表示領域８Ａに表示されているコンテンツ５２０が添付されていたメッセージ５０３Ａに対する返信メッセージに貼付されていたコンテンツ５２０が一例として挙げられる。
また、例えば、コンテンツ拡大表示領域８Ａに表示されているコンテンツ５２０が添付されていたメッセージ５０３Ａが返信メッセージである場合には、この返信メッセージの元となった送信メッセージに貼付されていたコンテンツ５２０が一例として挙げられる。
【００９５】
図１１は、コンテンツ５２０に対するコメントを構成メンバーが行う際の表示画面２００Ａの一例を示した図である。
本実施形態では、コンテンツ５２０をプレビューしつつ、コンテンツ５２０を構成する各ページに対するコメントを行えるようになっている。
具体的には、本実施形態では、図６や図７にて示した表示画面２００Ａにて、構成メンバーが、コンテンツ５２０の選択を伴う予め定められた操作を行うと、図１１に示す表示画面２００Ａに切り替わる。
【００９６】
図１１にて示すこの表示画面２００Ａでは、図中左側に、コンテンツ５２０のプレビュー表示を行うプレビュー領域１１Ａが設けられ、表示画面２００Ａの右側に、コメントを入力するためのコメント入力用領域１１Ｂが設けられている。
【００９７】
本実施形態では、コンテンツ５２０を開かなくても、コンテンツ５２０に対するコメントを行えるようになっている。
より具体的には、本実施形態では、コンテンツ５２０を開くための専用のソフトウエアを開かずに、コンテンツ５２０の各ページを参照できるようになっている（コンテンツ５２０がプレビュー領域１１Ａに表示されるようになっている）。さらに、本実施形態では、コメント入力用領域１１Ｂ内の入力ボックス１１Ｃに文字を打ち込むことで、コンテンツ５２０に対するコメントを行える。
【００９８】
さらに、図１１にて示すこの表示画面２００Ａでは、ページ切り替えボタン１１Ｄを操作することで、プレビュー領域１１Ａに表示されているコンテンツ５２０の表示ページが切り替わる。
そして、本実施形態では、コメント入力用領域１１Ｂを通じて行われたユーザのコメントは、プレビュー領域１１Ａに表示されているコンテンツ５２０に対応付けられた状態で、情報記憶部３１１（図５参照）に格納される。
【００９９】
より具体的には、コメント入力用領域１１Ｂを通じて行われた構成メンバーのコメントは、コンテンツ５２０の各ページに対応付けられた状態で、情報記憶部３１１に格納される。
また、本実施形態では、図９にて示したように、ページ内コメント表示用ボタン５０５Ｂが構成メンバーにより選択された場合には、図１１にて示すコメント入力用領域１１Ｂを通じて行われた構成メンバーのコメントが、図９にて示したメッセージ表示欄５０７に表示されるようになる。
【０１００】
図１２は、コンテンツ５２０に対するコメントがなされた後の表示画面２００Ａを示した図である。
本実施形態では、コンテンツ５２０に対するコメントがなされると、図１２に示すように、コメントがなされたことが、第３表示領域５０３に表示される。
言い換えると、本実施形態では、構成メンバーが、コンテンツ５２０に関する予め定められた処理を行うと、この予め定められた処理が行われた旨が、第３表示領域５０３に表示される。これにより、一部の構成メンバーが行った処理の内容が、他の構成メンバーにも通知される。
【０１０１】
図１２にて示す例では、図中、符号１２Ａで示すコンテンツ５２０に対するコメントがあった場合を例示しており、この場合、このコンテンツ５２０に対応付けて、「Update」という表示が行われる。
言い換えると、構成メンバーによる処理が行われたコンテンツ５２０を特定するための表示が行われる。
【０１０２】
また、第３表示領域５０３には、コンテンツ５２０に対するコメントがあった旨（符号１２Ｂ参照）、コメントを行った構成メンバー名（符号１２Ｃ参照）、コメントがなされた日時（符号１２Ｄ参照）、コメントの内容（符号１２Ｅ参照）、コメントがあったコンテンツ５２０（符号１２Ｆ参照）が表示される。また、構成メンバーによるコンテンツ５２０に対する書き込みがある場合には、この書き込みの内容も表示される（符号１２Ｇ参照）。
【０１０３】
本実施形態では、コンテンツ５２０に対するコメントや書き込みがあった場合、コメントや書き込みがあったコンテンツ５２０を特定するための情報を、第４表示領域５０４だけではなく、第３表示領域５０３（メッセージ表示領域）にも表示する。
これにより、コメントや書き込みがあったコンテンツ５２０を特定するための情報を、第４表示領域５０４のみに表示する場合に比べ、構成メンバーは、コメントや書き込みが行われたコンテンツ５２０の把握を行いやすくなる。
【０１０４】
図１３は、新たなコンテンツ５２０が情報記憶部３１１に格納された場合の表示画面２００Ａを示した図である。
本実施形態では、図６や図７にて示した表示画面２００Ａが表示されている状態にて、コピーアンドペーストや、ドラッグアンドドロップを行うことで、第４表示領域５０４に、新たなコンテンツ５２０の張り付け（追加）を行える。
【０１０５】
第４表示領域５０４に、新たなコンテンツ５２０（例えば、図１３の符号１３Ａで示すコンテンツ５２０）が張り付けられると、このコンテンツ５２０が、情報記憶部３１１に格納され、また、第４表示領域５０４に表示される
さらに、新たなコンテンツ５２０の貼り付けがあると、図１３に示すように、第３表示領域５０３（メッセージ表示領域）に、新たなコンテンツ５２０が追加された旨（符号１３Ａ参照）、コンテンツ５２０の追加を行った構成メンバー名（符号１３Ｂ参照）、コンテンツ５２０が追加された日時（符号１３Ｃ参照）が表示される。
さらに、第３表示領域５０３には、追加されたコンテンツ５２０が表示される（符号１３Ｄ参照）。
【０１０６】
本実施形態では、コンテンツ５２０の追加があった場合、追加されたコンテンツ５２０について情報は、第４表示領域５０４に表示されるだけでなく、第３表示領域５０３にも表示される。
これにより、第４表示領域５０４のみに、追加されたコンテンツ５２０についての情報を表示する場合に比べ、構成メンバーは、新たに追加されたコンテンツ５２０を把握しやすくなる。
【０１０７】
図１４は、コンテンツ５２０についての承認依頼があった場合の表示画面２００Ａを示した図である。
上記にて説明したように、本実施形態では、第４表示領域５０４に、承認用選択画像５６０Ｃが表示されており、承認を希望するコンテンツ５２０をこの承認用選択画像５６０Ｃの上まで移動させると、図１４に示すように、第３表示領域５０３に、承認依頼があった旨が表示される。
【０１０８】
具体的には、承認依頼があった旨（符号１４Ａ参照）、承認を依頼する構成メンバーの名前（符号１４Ｂ参照）、承認依頼があった日時（符号１４Ｃ参照）、および、承認を依頼された構成メンバー（承認者）の名前（符号１４Ｄ参照）が表示される。さらに、承認の対象となるコンテンツ５２０が表示される（符号１４Ｅ参照）。
さらに、承認を認める際に選択されるボタンである承認ボタン（符号１４Ｆ参照）、および、承認を認めない場合に選択されるボタンである差し戻しボタン（符号１４Ｇ参照）が表示される。さらに、承認者のコメント入力欄（符号１４Ｈ参照）が表示される。
【０１０９】
承認者が、承認してもよいと判断した場合は、承認者による承認ボタン（符号１４Ｆ参照）の選択が行われ、また、承認しないと判断した場合は、差し戻しボタン（符号１４Ｇ参照）の選択が行われる。
その後、図示は省略するが、この結果（承認された否かの結果）が、第３表示領域５０３（メッセージ表示領域）に表示される。
【０１１０】
上記と同様、この表示画面２００Ａでも、一部の構成メンバーによる操作（承認のための操作）が、共通の表示領域である第３表示領域５０３に表示され、他の構成メンバーに、この一部の構成メンバーが行った操作が通知される。
これにより、一部の構成メンバーが行った操作についての情報が、構成メンバー全体で共有される。
【０１１１】
本実施形態では、承認者は、第３表示領域５０３に対する操作を行うだけで、承認処理を行える。言い換えると、プロジェクトを管理するための表示画面２００Ａにて、承認処理を行える。
ここで、承認処理を行うにあたっては、例えば、Ｅメールなどを別途承認者に送信して承認を依頼する方法もあるが、この場合、手間を要する。また、この場合、承認処理についての情報を、他の構成メンバーと共有することが難しくなる。
【０１１２】
これに対し、本実施形態では、プロジェクトを管理するための表示画面２００Ａにて承認処理を行えるようなり、承認処理をより簡易に行える。また、共有の画面に、承認処理についての情報が表示されるため、承認処理についての情報が、構成メンバー全体で共有される。
なお、本実施形態では、承認ボタン、差し戻しボタン、コメント入力欄については、承認者の表示画面２００Ａのみにて表示される構成となっており、承認者以外の者による承認が行われないようになっている。
【０１１３】
図１５は、提案用選択画像５６０Ｅがユーザにより選択された場合の表示画面２００Ａを示した図である。
本実施形態では、提案用選択画像５６０Ｅのみの選択も行えるようになっており、この場合、符号１５Ａで示す画像が表示される。
【０１１４】
付言すると、上記では、コンテンツ５２０および提案用選択画像５６０Ｅが選択される場合を説明したが（選択したコンテンツ５２０を提案用選択画像５６０Ｅまで移動させる場合を説明したが）、図１５では、提案用選択画像５６０Ｅのみが選択される場合を例示しており、この場合も、処理部３１３（図５参照）による処理が行われて、提案が行われる。
【０１１５】
具体的には、提案用選択画像５６０Ｅが選択されると、管理サーバ３００の処理部３１３が、情報記憶部３１１に格納されているメッセージ５０３Ａの内容、情報記憶部３１１に格納されているコンテンツ５２０の内容、および、構成メンバーなどの情報を分析する。
さらに、処理部３１３は、この分析の結果を考慮に入れて、管理サーバ３００内に格納されている情報の検索や、外部の他のサーバに格納されている情報の検索を行う。
そして、管理サーバ３００内に格納されている情報や、この他のサーバなどに格納されている情報の中から、構成メンバーに提案すべき情報を特定する。
【０１１６】
そして、管理サーバ３００が、特定したこの情報を端末装置２００に送信する。これにより、図１５に示すように、端末装置２００では、管理サーバ３００からの提案事項が表示される。
より具体的には、例えば、プロジェクトの進行に有益な情報や、プロジェクトの進行に有益な人についての情報が提案される。
なお、提案されるものとしては、テキスト情報や静止した画像などに限らず、動画や、音声に関するファイルが提案されるようにしてもよい。
【０１１７】
〔その他〕
コンテンツ５２０の各々を識別するための情報を含んだ画像（コード画像など）を、コンテンツ５２０の各々に付加してもよい。ここで、この付加は、例えば、付加手段の一例としての処理部３１３（図５参照）により行われる。
この場合、コンテンツ５２０を印刷すると、コンテンツ５２０が印刷された用紙上に、コンテンツ５２０の各々を識別するための情報が付加される。より具体的には、例えば、バーコードや二次元バーコードなどのコード画像が形成され、コンテンツ５２０の各々を識別するための情報が付加される。
【０１１８】
その後、例えば、この用紙がスキャンされて読み取られると、読み取り画像に、コード画像が含まれる。
そして、本実施形態では、この読み取り画像が、情報記憶部３１１に格納された場合（管理サーバ３００に格納された場合）、この読み取り画像内のコード画像を解析して、元のコンテンツ５２０（印刷の元となったコンテンツ５２０）を特定する。そして、このコンテンツ５２０と、読み取り画像との関連付けを行う。
【０１１９】
この処理を行う場合、例えば、構成メンバーが手書きで行った修正指示などを、コンテンツ５２０に簡易に対応付けられるようになる。
なお、情報記憶部３１１への、上記読み取り画像の格納は、例えば、第４表示領域５０４への、読み取り画像のドラッグアンドドロップや、コピーアンドペーストにより行える。また、スキャナから管理サーバ３００へ、読み取り画像を直接送信してもよい。
【０１２０】
また、コンテンツ５２０に対して行われた書き込みを、端末装置２００に表示するにあたっては、１つの静止した画像（コンテンツ５２０を表す静止画像）に、複数の書き込みを同時に表示するのではなく、例えば、時間的に最も古い書き込みから順に表示するようにしてもよい。言い換えると、表示を順次切り替え、書き込みを表す表示が次第に追加されるようにしてもよい。
また、複数の構成メンバーにより書き込みが行われている場合には、構成メンバー毎に、表示される書き込みの色を異ならせてもよい。
【符号の説明】
【０１２１】
１…情報処理システム、２００Ａ…表示画面、２０６…表示装置、２１２…表示制御部、３００…管理サーバ、３１１…情報記憶部、３１２…メッセージ抽出部、３１３…処理部、３１４…出力部、５０３…第３表示領域、５０３Ａ…メッセージ、５０４…第４表示領域、５２０…コンテンツ、Ｐ０…表紙
【図１】
2019091238.tif 000003
【図２】
2019091238.tif 000004
【図３】
2019091238.tif 000005
【図４】
2019091238.tif 000006
【図５】
2019091238.tif 000007
【図６】
2019091238.tif 000008
【図６−２】
2019091238.tif 000009
【図７】
2019091238.tif 000010
【図８】
2019091238.tif 000011
【図９】
2019091238.tif 000012
【図１０】
2019091238.tif 000013
【図１１】
2019091238.tif 000014
【図１２】
2019091238.tif 000015
【図１３】
2019091238.tif 000016
【図１４】
2019091238.tif 000017
【図１５】
2019091238.tif 000018